(57)【要約】【課題】  入力した映像信号の形式および解像度に拘わらず、自然で豊かな色合いの投写映像を簡便に得ることができる映像表示装置およびプロジェクタを提供すること。【解決手段】  制御部３３は、内蔵する識別部３５により映像信号Vinの形式が識別されると、記憶部３１のγ相関テーブルから識別された形式に応じた所定のγ値を引き当て、引き当てたγ値を用いて映像信号補正部２５により映像信号Dcsにγ補正処理を施させることから、プロジェクタ１００は、入力した映像信号Vinの形式に応じて、映像信号Vinにて表される映像を最適な階調特性で再現することが可能な所定のγ値により、映像信号Vinにγ補正処理を施す。【選択図】      図１
2006246102.tif 000002
【特許請求の範囲】
【請求項１】
入力された映像信号にて表される映像を表示部に表示する映像表示装置であって、
前記映像信号の形式あるいは解像度を識別する識別部と、
複数の前記映像信号の形式あるいは解像度ごとに所定のγ値が規定されたγ相関テーブルを記憶する記憶部と、
前記映像信号に前記所定のγ値により前記映像信号の階調特性を補正するγ補正処理を施す映像信号補正部と、
少なくとも前記映像信号補正部に、前記γ補正処理を行なわせる指示を発する制御部と、を備え、
前記制御部は、前記識別部により前記映像信号の形式あるいは解像度が識別されると、前記γ相関テーブルから前記識別された形式あるいは解像度に応じた所定のγ値を引き当て、前記引き当てた所定のγ値を用いて前記映像信号補正部により前記映像信号に前記γ補正処理を施させることを特徴とする映像表示装置。
【請求項２】
前記識別部は、前記映像信号に含まれる同期信号の周波数を測定する周波数測定部を有し、
前記記憶部は、複数の前記映像信号の形式あるいは解像度と、前記形式あるいは解像度ごとに定まっている前記同期信号の周波数との、識別相関テーブルを記憶し、
前記識別部は、前記識別相関テーブルにより、前記周波数測定部が測定した前記同期信号の周波数に応じた前記映像信号の形式あるいは解像度を識別することを特徴とする請求項１に記載の映像表示装置。
【請求項３】
入力された映像信号にて表される映像を表示部に表示する映像表示装置において、前記映像信号に階調特性を補正するためのγ補正処理を施す映像信号の処理方法であって、
前記映像信号の形式あるいは解像度を識別する工程と、
複数の前記映像信号の形式あるいは解像度ごとに所定のγ値が規定されたγ相関テーブルから前記識別された形式あるいは解像度に応じた所定のγ値を引き当てる工程と、
前記引き当てた所定のγ値により、前記映像信号に前記γ補正処理を施す工程と、を含むことを特徴とする映像信号の処理方法。
【請求項４】
光源からの光を、映像を規定する映像信号に応じて光変調素子により映像を表す変調光に変調し、前記変調光を拡大して映像を投写するプロジェクタであって、
前記映像信号の形式を識別する識別部と、
複数の前記映像信号の形式ごとに所定のγ値が規定されたγ相関テーブルを記憶する記憶部と、
前記映像信号に前記所定のγ値により前記映像信号の階調特性を補正するγ補正処理を施す映像信号補正部と、
少なくとも前記映像信号補正部に、前記γ補正処理を行なわせる指示を発する制御部と、を備え、
前記制御部は、前記識別部により前記映像信号の形式が識別されると、前記γ相関テーブルから前記識別された形式に応じた所定のγ値を引き当て、前記引き当てた所定のγ値を用いて前記映像信号補正部により前記映像信号に前記γ補正処理を施させることを特徴とするプロジェクタ。
【請求項５】
前記識別部は、前記映像信号に含まれる同期信号の周波数を測定する周波数測定部を有し、
前記記憶部は、複数の前記映像信号の形式と、前記形式ごとに定まっている前記同期信号の周波数との、識別相関テーブルを記憶し、
前記識別部は、前記記憶部の識別相関テーブルにより、前記周波数測定部が測定した前記同期信号の周波数に応じた前記映像信号の形式を識別することを特徴とする請求項４に記載のプロジェクタ。
【請求項６】
前記記憶部のγ相関テーブルは、少なくとも１０８０ｉ形式の映像信号の同期信号周波数と同等か、それ以上の高さの同期信号周波数を持つ映像信号に対して、前記所定のγ値として、γ値２．０より小さい値を記憶していることを特徴とする請求項４または５に記載のプロジェクタ。
【発明の詳細な説明】
【技術分野】
【０００１】
映像を規定する映像信号に画質を向上させるための処理を施してから映像を表示する映像表示装置およびプロジェクタに関する。
【背景技術】
【０００２】
映像表示装置としてのプロジェクタには、様々な映像信号供給源からの多様な映像信号が入力される。これらの映像信号は、映像信号の形式に応じてそれぞれが固有の解像度や、明るさの階調特性などを有し、映像を規定している。
これらの映像信号の形式および解像度を判別するための技術として、次のようなものが知られている。例えば、特許文献１のプロジェクタは、映像信号の同期信号の周波数から映像信号の解像度を検出し、映像を映し出す光変調素子の解像度に合わせて映像信号にスケーリング処理を施す。
また、例えば、特許文献２には、入力した映像信号の信号レベルの高さや、同期信号の変化などをモニターすることにより、映像信号の形式を判別する技術が開示されている。
【０００３】
プロジェクタには、これらの映像信号にて表される映像を、撮像されたときの自然で豊かな色合いで再現することが求められている。自然で豊かな色合いを再現するためには、プロジェクタの表示部兼、光変調素子である液晶ライトバルブのγ特性、および人間の視覚特性を考慮して、映像信号を補正する必要がある。
このような内容に鑑み、市販されている多くのプロジェクタにおける映像信号の階調特性を補正する処理であるγ補正のデフォルト設定は、多様な映像信号を無難に表示するために、入力する映像信号の形式を問わずに、例えば、γ値２．２のγ補正を施すように設定されている。
【０００４】
図５は、γ補正処理により補正された映像信号のγ特性の一態様を示す図表である。例えば、ＤＶＤ（Digital Versatile Disk）プレーヤからの４８０ｉ形式の映像信号のように、略リニアな階調特性を持つ映像信号が入力した場合、プロジェクタにてγ値２．２のγ補正がなされることにより、映像信号は図表Ｏのグラフｋに示されるようなγ値２．２の階調特性を持つ映像信号に補正され、γ値２．２の映像信号による映像が得られる。
γ値２．２は、ＮＴＳＣ（National Television Standards Committee）の規格値でもあるとともに、プロジェクタの液晶ライトバルブの持つ透過率特性、および暗い色に敏感であるという人間の視覚特性を補正するのに適した設定値であり、自然で豊かな色合いを再現するための一つの目標となる特性である。
【０００５】
また、個別の映像信号に適した画像を得るために、例えば、γ補正の設定を、カラー映像を構成する赤色（Ｒ）、緑色（Ｇ）、青色（Ｂ）を表す映像信号ごとに、ユーザーが操作メニューから選択し、所望のγ値に設定することが可能なプロジェクタが知られている。
また、例えば、明るい室内でのパソコンによるプレゼンに適した明るさおよびγ補正の設定値を「ダイナミック」、照明を落として映画を鑑賞するのに適した明るさおよびγ補正の設定値を「シアター」として、予めカラーモードとして記憶し、ユーザーが好みに応じてカラーモードを選択可能なプロジェクタも知られていた。
【０００６】
【特許文献１】特開平９−１１４４４３号公報
【特許文献２】特開２００２−３２０２４３号公報
【発明の開示】
【発明が解決しようとする課題】
【０００７】
しかしながら、多くのユーザーは、取り扱い説明書を読み込んで、画質を向上させるためのγ値の設定や、カラーモードの選択操作を行うなどという、煩わしいことは好まず、デフォルト設定のままの画質で妥協していたのが実態であった。
このため、例えば、γ値１．８でγ補正したほうが、鮮やかで奥行きのある映像が得られる高解像度のハイビジョン放送の映像信号（1080i）が入力した場合でも、γ値２．２のγ補正が施されてしまい、全体的に暗く、赤みがかった映像となってしまう。図５のグラフｊは、この状態を示しており、目標となるγ値２．２のグラフｋと乖離してしまっていることが解る。
また、ユーザーが固有の映像信号に対して、γ値の設定を行ったとしても、映像信号が切り替るごとに、再度設定し直すか、前回の設定値の記憶を呼び出さねばならず、煩わしかった。
このように、従来のプロジェクタでは、入力した映像信号の形式および解像度に適したγ補正を簡便に施すことが困難であったため、自然で豊かな色合いの投写映像を得難かったという問題点があった。
【０００８】
上記課題を解決するために、本発明では、入力した映像信号の形式および解像度に拘わらず、自然で豊かな色合いの投写映像を簡便に得ることができる映像表示装置およびプロジェクタを提供することを目的とする。
【課題を解決するための手段】
【０００９】
前記目的を達成するために、本発明の映像表示装置によれば、入力された映像信号にて表される映像を表示部に表示する映像表示装置であって、映像信号の形式あるいは解像度を識別する識別部と、複数の映像信号の形式あるいは解像度ごとに所定のγ値が規定されたγ相関テーブルを記憶する記憶部と、映像信号に所定のγ値により映像信号の階調特性を補正するγ補正処理を施す映像信号補正部と、少なくとも映像信号補正部に、γ補正処理を行なわせる指示を発する制御部と、を備え、制御部は、識別部により映像信号の形式あるいは解像度が識別されると、γ相関テーブルから識別された形式あるいは解像度に応じた所定のγ値を引き当て、引き当てた所定のγ値を用いて映像信号補正部により前記映像信号にγ補正処理を施させることを特徴とする。
【００１０】
この構成によれば、制御部は、識別部により映像信号の形式あるいは解像度が識別されると、γ相関テーブルから識別された形式あるいは解像度に応じた所定のγ値を引き当て、引き当てた所定のγ値を用いて映像信号補正部により映像信号にγ補正処理を施させることから、映像表示装置は、入力した映像信号の形式または解像度に応じて、当該映像信号にて表される映像を最適な階調特性で再現することが可能な所定のγ値により、当該映像信号にγ補正処理を施す。
よって、映像表示装置が表示する映像は、入力した映像信号の形式および解像度に拘わらず、自然で豊かな画質となる。
さらに、カラー映像を表示可能な映像表示装置であれば、映像表示装置が表示する映像は、自然で豊かな色合いの画質となる。
従って、映像表示装置は、入力した映像信号の形式および解像度に拘わらず、自然で豊かな色合いの映像を簡便に得ることができる。
【００１１】
本発明に係わる映像表示装置によれば、識別部は、映像信号に含まれる同期信号の周波数を測定する周波数測定部を有し、記憶部は、複数の映像信号の形式あるいは解像度と、形式あるいは解像度ごとに定まっている同期信号の周波数との、識別相関テーブルを記憶し、識別部は、記憶部の識別相関テーブルにより、周波数測定部が測定した同期信号の周波数に応じた映像信号の形式あるいは解像度を識別することが好ましい。
【００１２】
この構成によれば、識別部は、記憶部の識別相関テーブルにより、周波数測定部が測定した同期信号の周波数に応じた映像信号の形式あるいは解像度を識別することから、映像表示装置は、映像信号の形式あるいは解像度ごとに定まっている同期信号の周波数により、入力した映像信号の形式あるいは解像度を識別する。
よって、映像表示装置は、映像信号に含まれている同期信号の周波数の測定という簡便な手段により、映像信号の形式あるいは解像度を正確に識別することができる。
【００１３】
本発明に係わる映像信号の処理方法によれば、入力された映像信号にて表される映像を表示部に表示する映像表示装置において、映像信号に階調特性を補正するためのγ補正処理を施す映像信号の処理方法であって、映像信号の形式あるいは解像度を識別する工程と、複数の映像信号の形式あるいは解像度ごとに所定のγ値が規定されたγ相関テーブルから識別された形式あるいは解像度に応じた所定のγ値を引き当てる工程と、引き当てた所定のγ値により、映像信号にγ補正処理を施す工程と、を含むことを特徴とする。
【００１４】
この映像信号の処理方法によれば、映像信号の形式あるいは解像度を識別する工程と、γ相関テーブルから識別された形式あるいは解像度に応じた所定のγ値を引き当てる工程と、引き当てた所定のγ値により、映像信号にγ補正処理を施す工程とを含むことから、映像表示装置は、入力した映像信号の形式または解像度に応じて、当該映像信号にて表される映像を最適な階調特性で再現することが可能な所定のγ値により、当該映像信号にγ補正処理を施す。
よって、映像表示装置が表示する映像は、入力した映像信号の形式および解像度に拘わらず、自然で豊かな画質となる。
さらに、カラー映像を表示可能な映像表示装置であれば、映像表示装置が表示する映像は、自然で豊かな色合いの画質となる。
従って、入力した映像信号の形式および解像度に拘わらず、自然で豊かな色合いの映像を簡便に得ることができる映像信号の処理方法を提供することができる。
【００１５】
前記目的を達成するために、本発明のプロジェクタによれば、光源からの光を、映像を規定する映像信号に応じて光変調素子により映像を表す変調光に変調し、変調光を拡大して映像を投写するプロジェクタであって、映像信号の形式を識別する識別部と、複数の映像信号の形式ごとに所定のγ値が規定されたγ相関テーブルを記憶する記憶部と、映像信号に所定のγ値により映像信号の階調特性を補正するγ補正処理を施す映像信号補正部と、少なくとも映像信号補正部に、γ補正処理を行なわせる指示を発する制御部と、を備え、制御部は、識別部により映像信号の形式が識別されると、γ相関テーブルから識別された形式に応じた所定のγ値を引き当て、引き当てた所定のγ値を用いて映像信号補正部により映像信号にγ補正処理を施させることを特徴とする。
【００１６】
この構成によれば、制御部は、識別部により映像信号の形式が識別されると、γ相関テーブルから識別された形式に応じた所定のγ値を引き当て、引き当てた所定のγ値を用いて映像信号補正部により映像信号にγ補正処理を施させることから、映像表示装置は、入力した映像信号の形式に応じて、当該映像信号にて表される映像を最適な階調特性で再現することが可能な所定のγ値により、当該映像信号にγ補正処理を施す。
よって、プロジェクタが投写する映像は、入力した映像信号の形式に拘わらず、自然で豊かな画質となる。
さらに、カラー映像を表示可能なプロジェクタであれば、プロジェクタが表示する映像は、自然で豊かな色合いの画質となる。
従って、プロジェクタは、入力した映像信号の形式に拘わらず、自然で豊かな色合いの投写映像を簡便に得ることができる。
【００１７】
本発明に係わるプロジェクタによれば、識別部は、映像信号に含まれる同期信号の周波数を測定する周波数測定部を有し、記憶部は、複数の映像信号の形式と、形式ごとに定まっている同期信号の周波数との、識別相関テーブルを記憶し、識別部は、記憶部の識別相関テーブルにより、周波数測定部が測定した同期信号の周波数に応じた映像信号の形式を識別することが好ましい。
【００１８】
この構成によれば、識別部は、記憶部の識別相関テーブルから、周波数測定部が測定した同期信号の周波数に応じた映像信号の形式を識別することから、映像表示装置は、映像信号の形式あるいは解像度ごとに定まっている同期信号の周波数により、入力した映像信号の形式を識別する。
よって、プロジェクタは、映像信号に含まれている同期信号の周波数の測定という簡便な手段により、映像信号の形式を正確に識別することができる。
【００１９】
本発明に係わるプロジェクタによれば、記憶部のγ相関テーブルは、少なくとも１０８０ｉ形式の映像信号の同期信号周波数と同等か、それ以上の高さの同期信号周波数を持つ映像信号に対して、所定のγ値として、γ値２．０より小さい値を記憶していることが好ましい。
【００２０】
この構成によれば、記憶部のγ相関テーブルは、少なくとも１０８０ｉ形式の映像信号の同期信号周波数と同等か、それ以上の高さの同期信号周波数を持つ映像信号に対して、所定のγ値として、γ値２．０より小さい値を記憶していることから、プロジェクタは、１０８０ｉ以上の解像度を持つ映像信号が入力した場合、γ値２．０より小さい値でγ補正処理を施した映像を投写する。
よって、γ値１．８でγ補正することにより、鮮やかで奥行きのある映像が得られる１０８０ｉの映像信号を、略適合したγ値によりγ補正処理することができる。
従って、プロジェクタは、１０８０ｉ以上の解像度を持つ映像信号から、鮮やかで奥行きのある投写映像を簡便に得ることができる。
【発明を実施するための最良の形態】
【００２１】
以下、添付図面に基づいて、本発明の実施形態を詳細に説明する。
【００２２】
（実施形態）
《プロジェクタの概要》
図１は、本実施形態のプロジェクタの一実施形態における概略構成図である。ここでは、図１を用いてプロジェクタ１００の概略構成について説明する。
プロジェクタ１００は、光源としてのランプ１が放射した光を、赤色光、青色光、緑色光の光の３原色成分に分離し、各色光毎に光学部３に含まれる光変調素子である各色光用の液晶ライトバルブ５Ｒ，５Ｇ，５Ｂにより、ＤＶＤプレーヤなどの映像信号供給装置１３０からの映像信号Vinに応じて変調し、再度合成してスクリーンＳＣに投写する、いわゆる「液晶３板式プロジェクタ」である。
【００２３】
プロジェクタ１００には、映像信号供給装置１３０からの様々な映像信号が入力する。様々な映像信号は、例えば、パーソナルコンピュータからのアナログＲＧＢ信号や、ハイビジョン放送対応チューナまたはＤＶＤプレーヤからのコンポーネント信号、さらには、ビデオプレーヤからのＳ信号およびコンポジット信号などである。
これらの映像信号Vinは、画像を描画するタイミングを計るための同期信号ＳＹＮＣを含んでいる。同期信号ＳＹＮＣには、水平同期信号と、垂直同期信号とがある。
プロジェクタ１００は、ランプ１、光学部３、操作部７、リモコン９、投写レンズ１３、映像信号処理部１５、映像信号補正部２５、液晶パネル駆動部２７、操作受付け部２９、記憶部３１、制御部３３、電源部３７、ランプ駆動部３９などから構成されている。
ランプ１は、プロジェクタ１００が投写する映像の光源であり、高圧水銀ランプや、メタルハライドランプなどの高輝度が得られる放電式のランプである。
【００２４】
光学部３は、ランプ１が放射する白色光を輝度値分布の安定した略平行光に変換するインテグレータ光学系と、輝度値分布の安定した白色光を光の３原色である赤色（Ｒ）、緑色（Ｇ）、青色（Ｂ）の各色光成分に分離して各色光用の液晶ライトバルブ５Ｒ，５Ｇ，５Ｂに供給する分離光学系（いずれも図示せず）と、液晶ライトバルブ５Ｒ，５Ｇ，５Ｂにて色光ごとに映像信号に応じて変調された各色光を、再度合成する合成光学系１１とを含んで構成されている。
液晶ライトバルブ５Ｒ，５Ｇ，５Ｂからの各色光による変調光は、青色光を反射し緑色光を透過するダイクロイック膜と、赤色光を反射し緑色光を透過するダイクロイック膜と、を備える合成光学系１１であるクロスダイクロイックプリズムにより合成され、映像信号に応じて変調されたフルカラーで略平行光の変調光として射出される。
【００２５】
操作部７は、プロジェクタ１００を起動およびシャットダウンさせるための電源ボタンなど、プロジェクタ１００を操作するための複数の操作ボタンを備えている。操作部７は、プロジェクタ１００の本体上面に設けられている。
リモコン９は、操作部７と同様の複数の操作ボタンを備えたリモコンであり、赤外線信号により、プロジェクタ１００を遠隔操作する。
投写レンズ１３は、複数の凹凸レンズなどから構成されており、合成光学系１１から射出された変調光を拡大して投写光とし、スクリーンＳＣに映像を投写する。
【００２６】
映像信号処理部１５は、映像コンバータ１７、ビデオスケーラ１９、フレームメモリ２１、周波数測定部２３などを含んで構成されている。
映像信号コンバータ１７は、デコーダ（図示せず）を内蔵しており、映像信号供給装置１３０から供給される様々なアナログ映像信号VinをデジタルＲＧＢ信号に変換し、デジタル映像信号Dinとして出力する。例えば、アナログ映像信号Vinが、コンポーネント信号であった場合、内蔵するデコーダで、一旦アナログＲＧＢ信号に変換し、その後アナログ信号をデジタル信号に変換するＡ／Ｄ変換処理を施す。また、アナログ映像信号Vinが、ＲＧＢ信号であった場合は、Ａ／Ｄ変換処理のみを施す。また、映像信号コンバータ１７は、映像信号Vinの入力の有無を検出する機能も有しており、入力が有る場合は検出情報を制御部３３へ送る。
このようにして、映像信号Vinは、様々な映像信号処理が可能なデジタルＲＧＢ映像信号Dinに変換されてビデオスケーラ１９に入力する。
【００２７】
ビデオスケーラ１９は、映像信号Dinを、液晶ライトバルブ５Ｒ，５Ｇ，５Ｂで表示するのに適した信号とするために、映像データをフレームメモリ２１に書き込み、所定の条件で読み出すなどの映像信号処理を施した後、映像信号Dcsとして出力する。映像信号処理には、映像信号にて表される映像を拡大および縮小することにより液晶ライトバルブ５Ｒ，５Ｇ，５Ｂの持つ解像度に合わせるスケーリング処理や、投写映像の形状を補正する台形補正処理などが含まれている。
周波数測定部２３は、周波数カウンタであり、入力映像信号Ｖinに含まれる同期信号ＳＹＮＣの周波数を測定する。具体的には、水平同期信号の周波数を測定し、その測定情報を、制御部３３へ送る。
なお、周波数測定部２３は、例えば、制御部３３に含まれる構成であっても良い。この構成の場合、制御部３３が内蔵するカウンタを用いて、同期信号ＳＹＮＣの周波数を測定する。
【００２８】
映像信号補正部２５は、映像信号処理部１５からの映像信号Dcsに、映像信号Dcsの有する階調値を液晶ライトバルブ５Ｒ，５Ｇ，５Ｂで表示するのに適した階調値に変換するγ補正や、色合いなどの画質を設定内容に沿って調整する画質補正処理を施した後、デジタル信号をアナログ信号に変換するＤ／Ａ変換を行い、アナログ映像信号Voutとして出力する。映像信号補正部２５は、制御部３３により設定された所定のγ値により、映像信号Dcsにγ補正処理を施す。
液晶パネル駆動部２７は、液晶ライトバルブ５Ｒ，５Ｇ，５Ｂに映像信号Voutと、駆動電圧などを供給し、液晶ライトバルブ５Ｒ，５Ｇ，５Ｂに映像を写し出す。
操作受付け部２９は、操作部７またはリモコン９への操作がなされると、操作を受付け、制御部３３へ各種動作のトリガとなる操作信号を送る。
【００２９】
記憶部３１は、例えば、フラッシュメモリなどデータの書き換えが可能な不揮発性のメモリ、または、マスクＲＯＭ（Read Only Memory）により構成されている。記憶部３１には、例えば、プロジェクタ１００を起動させるときの処理の順序と内容を指示する起動プログラムや、映像信号の形式または解像度に応じてγ補正処理に用いる所定のγ値を選択するための映像信号の処理方法としての「γ補正処理プログラム」など、プロジェクタ１００の動作を指示および制御するための様々なプログラムおよび付随するデータが記憶されている。
【００３０】
付随するデータには、γ補正処理プログラムで用いられる、映像信号の形式あるいは解像度と、映像信号の形式あるいは解像度ごとに定まっている同期信号の周波数との、相関関係を示した識別相関テーブルや、映像信号の形式や解像度ごとに所定のγ値が規定されたγ相関テーブルなどのデータが含まれている。
このような相関テーブルは、例えば、図２に示すようなものである。図２は、γ相関テーブルの一態様を示す図である。図２のγ相関テーブル４０は、識別相関テーブルを含んでおり、映像信号形式と、水平同期信号の周波数と、所定のγ値としてのγ値との相関関係を示している。なお、映像信号形式ごとに規定されたγ値は、当該映像信号にて表される映像を最適な階調特性で再現することが可能な値となっている。
【００３１】
制御部３３は、ＣＰＵ（Central Processing Unit）であり、バスラインＢusを介して、各部との信号のやり取りを行う。さらに、制御部３３は、識別部３５を含んで構成されている。識別部３５は、記憶部３１の識別相関テーブルから、周波数測定部２３からの水平同期信号の測定周波数に応じた映像信号の形式あるいは解像度を引き当てる。
なお、識別部３５は、例えば、映像信号処理部１５に含まれる構成であっても良い。この構成の場合、映像信号処理部１５に、ＣＰＵ機能を持たせる。
電源部３７は、外部電源１４０からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
ランプ駆動部３９は、電源部３７からの電力供給を受け、ランプ１を点灯させるために高電圧を発生して放電経路を形成するイグナイタ回路と、点灯後の安定した点灯状態を維持するためのバラスト回路（いずれも図示せず）とを含んで構成されている。
【００３２】
<<γ補正処理の流れ>>
図３は、γ補正処理の流れを示したフローチャートである。図４（ａ）は、入力映像信号の階調特性の一態様を示す図表である。図４（ｂ）は、γ補正処理に用いるγ値の一態様を示す図表である。ここでは、図３を中心にして、適宜図１、図２、図４（ａ）の図表Ｐ、図４（ｂ）の図表Ｑを交えて入力した映像信号の形式に応じたγ補正の処理方法について説明する。
プロジェクタ１００には、前述したように様々な映像信号が入力する。これらの映像信号は、ハイビジョン放送や、ＤＶＤプレーヤなどからのＴＶ系の映像信号と、パーソナルコンピュータなどのコンピュータからのコンピュータ系の映像信号とに大別される。
ここでは、プロジェクタ１００に、映像信号供給装置１３０として、ＴＶ系の映像信号を出力するＤＶＤプレーヤまたは、ハイビジョン放送対応のチューナのいずれかが選択されて接続される場合について説明する。
【００３３】
映像信号供給装置１３０としてのＤＶＤプレーヤは、４８０ｉまたは４８０ｐ形式のコンポーネント信号を出力する。これらの信号は、図４（ａ）のグラフｓに示されるように階調値に対して、明るさが略リニアに変化するγ値２．２に逆比例相当の階調特性を有している。なお、横軸の階調値は、８bitによる「０〜２５５段階」の階調で表されているが、これに限定するものではなく、例えば１０bitの階調であっても良い。
また、映像信号供給装置１３０としてのハイビジョン放送対応のチューナは、１０８０ｉ形式のコンポーネント信号を出力する。この信号は、図４（ａ）のグラフｈに示すようなγ値２．２未満に逆比例相当の階調特性を有している。プロジェクタ１００には、これらの４８０ｉまたは４８０ｐ、あるいは１０８０ｉ形式の映像信号のうち、いずれかが選択されて入力する。
プロジェクタ１００が目標とする映像信号Voutの階調特性は、液晶ライトバルブ５Ｒ，５Ｇ，５Ｂが持つ透過率特性、および暗い色に敏感であるという人間の視覚特性の補正がなされた図５のグラフｋに示すγ値２．２相当の階調特性である。
このような構成において、プロジェクタ１００は、記憶部３１のγ補正処理プログラムを実行する。
【００３４】
ステップＳ１では、制御部３３は、映像信号供給装置１３０から映像信号Vinが入力しているかどうかを、映像信号の有無により判断する。映像コンバータ１７から映像信号Vinの検出情報が来ない場合、映像信号Vinが入力していないものと判断し処理を終了する。映像コンバータ１７からの映像信号Vinの検出情報が有った場合は、ステップＳ２へ進む。
なお、映像信号の有無の検出は、例えば、周波数測定部２３において同期周波数ＳＹＮＣの有無により検出することとしても良い。
ステップＳ２では、制御部３３は、周波数測定部２３に入力した映像信号Vinの水平同期信号を測定させる。ここでは、測定された映像信号Vinの水平同期信号は、例えば、３３．７kHzであった。
ステップＳ３では、制御部３３は、内蔵する識別部３５により、記憶部３１のγ相関テーブルから、周波数測定部２３が測定した水平同期信号の周波数に応じた映像信号形式を識別させる。ここでは、識別された映像信号形式は、水平同期信号の周波数３３．７kHzに応じた、１０８０ｉであった。
【００３５】
ステップＳ４では、制御部３３は、記憶部３１のγ相関テーブルから、識別された映像信号に対応するγ値を引き当てる。ここでは、引き当てられたγ値は、１０８０ｉ形式の映像信号に対応する、γ値１．８であった。
ステップＳ５では、制御部３３は、引き当てられたγ値を、映像信号補正部２５に設定する。ここでは、γ値１．８が設定される。
ステップＳ６では、制御部３３は、映像信号補正部２５により、映像信号Dcsにγ補正処理を施させる。
ステップＳ７では、制御部３３は、周波数測定部２３からの水平同期信号の周波数情報により、水平同期信号の周波数の変化の有無を確認する。同期周波数が測定許容誤差範囲を超えて変化した場合、ステップＳ１へ戻り、再度、映像信号の有無の確認からのγ補正処理ルーチンを行う。
同期周波数の測定許容誤差範囲を超えた変化がない場合は、ステップＳ６でのγ補正処理を継続する。
【００３６】
このようにして、１０８０ｉ形式の映像信号には、γ値１．８によるγ補正処理が施される。図４（ｂ）に、ステップＳ５で設定されるγ値１．８のグラフが示されている。
これにより、図４（ａ）のグラフｈに示すような階調特性を有する１０８０ｉ形式の映像信号は、図４（ｂ）のγ値１．８によりγ補正がなされることにより、図５のグラフｋに示されるγ値２．２相当の階調特性を持つ映像信号Voutとなり、液晶ライトバルブ５Ｒ，５Ｇ，５Ｂに供給される。
【００３７】
これまで、１０８０ｉ形式の映像信号が入力した場合について説明したが、４８０ｉまたは４８０ｐ形式の映像信号が入力した場合も、同様の処理ルーチンによりγ補正処理がなされる。具体的には、４８０ｉまたは４８０ｐ形式の映像信号のどちらが入力した場合も、ステップＳ４にて、γ値２．２が引き当てられる。
よって、図４（ａ）のグラフｓに示すような階調特性を有している４８０ｉまたは４８０ｐ形式の映像信号は、図４（ｂ）のγ値２．２によりγ補正がなされることにより、図５のグラフｋに示されるγ値２．２相当の階調特性を持つ映像信号Voutとなり、液晶ライトバルブ５Ｒ，５Ｇ，５Ｂに供給される。
【００３８】
上述した通り、本実施形態によれば以下の効果が得られる。
（１）制御部３３は、内蔵する識別部３５により映像信号Vinの形式が識別されると、記憶部３１のγ相関テーブルから識別された形式に応じたγ値を引き当て、引き当てたγ値を用いて映像信号補正部２５により映像信号Dcsにγ補正処理を施させることから、プロジェクタ１００は、入力した映像信号Vinの形式に応じて、映像信号Vinにて表される映像を最適な階調特性で再現することが可能なγ値により、映像信号Dcsにγ補正処理を施す。
よって、プロジェクタ１００が投写する映像は、入力した映像信号の形式に拘わらず、自然で豊かな色合いの画質となる。
従って、入力した映像信号の形式および解像度に拘わらず、自然で豊かな色合いの映像を簡便に得ることができるプロジェクタ１００を提供することができる。
【００３９】
（２）制御部３３は、識別部３５により、記憶部３１の識別相関テーブルを含むγ相関テーブルから、周波数測定部２３が測定した水平同期信号の周波数に応じた映像信号Vinの形式を識別することから、プロジェクタ１００は、映像信号の形式Vinごとに定まっている水平同期信号の周波数により、入力した映像信号の形式を識別する。
よって、映像信号Vinに含まれている同期信号の周波数の測定という簡便な手段により、映像信号Vinの形式を正確に識別することができるプロジェクタ１００を提供することができる。
【００４０】
（３）図２に示された記憶部３１のγ相関テーブル４０は、１０８０ｉ形式の映像信号に対応する所定のγ値としてγ値１．８を記憶していることから、プロジェクタ１００は、１０８０ｉ以上の解像度を持つ映像信号が入力した場合、γ値１．８によりγ補正処理を施した映像を投写する。
よって、１０８０ｉ形式の映像信号を最適なγ値１．８でγ補正することにより、投写される映像信号Voutのγ値は２．２となり、鮮やかで奥行きのある映像を得ることができる。
従って、１０８０ｉ形式の映像信号から、鮮やかで奥行きのある投写映像を簡便に得ることができるプロジェクタ１００を提供することができる。
【００４１】
（４）図２に示された記憶部３１のγ相関テーブル４０は、４８０ｉおよび４８０ｐ形式の映像信号に対応する所定のγ値としてγ値２．２を記憶していることから、プロジェクタ１００は、４８０ｉまたは４８０ｐ形式の解像度を持つ映像信号が入力した場合、γ値２．２によりγ補正処理を施した映像を投写する。
よって、４８０ｉおよび４８０ｐ形式の映像信号を最適なγ値２．２でγ補正することにより、投写される映像信号のγ値は２．２となり、自然で豊かな色合いの映像を得ることができる。
従って、４８０ｉおよび４８０ｐ形式の映像信号から、自然で豊かな色合いの投写映像を簡便に得ることができるプロジェクタ１００を提供することができる。
【００４２】
なお、本発明は上述した実施形態に限定されず、上述した実施形態に種々の変更や改良などを加えることが可能である。変形例を以下に述べる。
【００４３】
（変形例１）
図３を用いて説明する。前記実施形態では、ステップＳ３で水平同期信号の周波数から映像信号の形式を識別し、ステップＳ４で識別した映像信号の形式からγ値を選択していたが、これに限定するものではない。例えば、ステップＳ３とＳ４を一つのステップとして、水平同期信号の周波数から、直接γ値を選択することとしても良い。
水平同期信号の周波数は、映像信号の形式Vinごとに定まっていることから、この方法によっても、映像信号の形式に応じたγ値を選択することができる。よって、前記実施形態と同様の効果を得ることができる。
【００４４】
（変形例２）
図２と図４（ａ）を用いて説明する。前記実施形態および変形例において、映像信号は、ＴＶ系の映像信号であるものとして説明したが、これに限定するものではない。例えば、映像信号は、コンピュータ系の映像信号であっても良い。コンピュータ系の映像信号の場合、映像信号の解像度に応じて、所定のγ値を設定する。具体的には、図４（ａ）のグラフｓ相当の階調特性を持つ解像度ＶＧＡ（640×480）の映像信号の場合、水平同期信号は、約３１．５kHzであり、所定のγ値を２．２とする。また、図４（ａ）のグラフｈ相当の階調特性を持つ解像度ＷＸＧＡ（1,280×768）の映像信号の場合、水平同期信号は、約５６．１kHzであり、所定のγ値を１．８とする。
このように、ＴＶ系の映像信号であっても、映像信号の持つ階調特性に適したγ値によるγ補正を施すことにより、本来の映像信号の持つ自然で豊かな色調の投写映像を得ることができる。
【００４５】
（変形例３）
図５を用いて説明する。前記実施形態および変形例において、プロジェクタ１００が目標とする映像信号Voutの階調特性は、グラフｋにて示されるγ値２．２相当の階調特性であったが、これに限定するものではない。例えば、プロジェクタ１００が目標とする映像信号Voutの階調特性は、γ値１．８相当の階調特性であっても良い。人間の視覚特性には個人差があり、また、液晶ライトバルブのγ特性も品番によって異なることから、目標とする階調特性も固定するものではない。
例えば、目標とする階調特性がγ値１．８相当である場合、図２のγ相関テーブルのγ値は、４８０ｉおよび４８０ｐ形式の映像信号のときγ値１．８、１０８０ｉ形式の映像信号のときγ値１．４とする。
この構成によれば、目標とするγ値相当の階調特性の映像信号による投写映像が得られる映像表示装置を提供することができる。
【００４６】
（変形例４）
図１を用いて説明する。前記実施形態および変形例において、プロジェクタ１００は、光変調素子として３枚の液晶ライトバルブ５Ｒ，５Ｇ，５Ｂを用いた液晶３板式の投写型プロジェクタであるものとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成であっても良い。
これらの構成であっても、前記実施形態および変形例と同様の作用効果を得ることができる。
【００４７】
（変形例５）
図１を用いて説明する。前記実施形態および変形例において、映像表示装置はプロジェクタであるものとして説明したが、これに限定するものではない。外部の映像信号供給装置から入力する、または、自らが生成した映像信号にて表される映像を表示部に表示する映像表示装置であれば良い。例えば、パーソナルコンピュータ、液晶テレビ、プラズマテレビ、有機ＥＬディスプレイなどの表示部を備えたＴＶ受信機、リアプロジェクタなどにも適応することができる。
これらの映像表示装置であっても、前記実施形態および変形例と同様の作用効果を得ることができる。
【図面の簡単な説明】
【００４８】
【図１】一実施形態のプロジェクタの概略構成図。
【図２】γ相関テーブルの一態様を示す図。
【図３】γ補正処理のフローチャート。
【図４】（ａ）入力映像信号の階調特性の一態様を示す図表。（ｂ）γ補正処理に用いるγ値の一態様を示す図表。
【図５】映像信号のγ特性の一態様を示す図表。
【符号の説明】
【００４９】
１…光源としてのランプ、３…光学部、５Ｒ、５Ｇ、５Ｂ…光変調素子としての各色光用液晶ライトバルブ、１５…映像信号処理部、１７…映像コンバータ、１９…ビデオスケーラ、２３…周波数測定部、２５…映像信号補正部、３１…記憶部、３３…制御部、３５…識別部、４０…識別相関テーブルを含んだγ相関テーブル、１００…プロジェクタ、１３０…映像信号供給装置、ＳＣ…スクリーン、Vin…入力映像信号、ＳＹＮＣ…同期信号。
【図１】
2006246102.tif 000003
【図２】
2006246102.tif 000004
【図３】
2006246102.tif 000005
【図４】
2006246102.tif 000006
【図５】
2006246102.tif 000007